【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
包装箱であって、
背面パネル、
上側面パネル、
下側面パネル、
第１横側面パネル、
第２横側面パネル、
第１前面パネル、及び、
第２前面パネルであって、その第２前面パネルの縁部において前記第１横側面パネルと前記第２横側面パネルのうちの一方の縁部へ付着されていてそれに対して折れるように構成されている第２前面パネル、を含み、
前記第１前面パネルは、前記包装箱が閉構成にあるときに前記包装箱内に閉じ込められる内部前面パネルとなるような大きさ及び構成であり、前記包装箱が閉構成にあるときに前記内部前面パネルが前記第１横側面パネルと前記第２横側面パネルのうちの一方に隣接して位置する構成の内部側面パネルを備えており、前記第２前面パネルは、前記包装箱が前記閉構成にあるときに前記包装箱の外部に露出する外部前面パネルとなるような大きさ及び構成であり、前記外部前面パネルは、前記包装箱が前記閉構成にあるときに前記第１横側面パネルと前記第２横側面パネルのうちの一方に隣接して位置する構成の外部側面パネルを更に含んでおり、前記外部側面パネルは、前記包装箱が前記閉構成にあるときに前記外部側面パネルを前記第１横側面パネルと前記第２横側面パネルのうちの前記隣接する一方へ固定する少なくとも１つの付着装置を含んでいる、包装箱と、
前記包装箱内に配置されている少なくとも１つのベッドリネンと、
を備えている包装されたベッドリネン。
【請求項２】
請求項１に記載の包装されたベッドリネンにおいて、前記第１横側面パネルと前記第２横側面パネルのうちの前記隣接する一方は、前記包装箱が前記閉構成にあるときに前記外部側面パネルの前記少なくとも１つの付着装置へ引き付けられるか又は連結されるように位置付けられ構成されている少なくとも１つの追加の付着装置を備えている、包装されたベッドリネン。
【請求項３】
請求項２に記載の包装されたベッドリネンにおいて、前記少なくとも１つの付着装置か又は前記少なくとも１つの追加の付着装置の少なくとも一方は永久磁石を備えている、包装されたベッドリネン。
【請求項４】
請求項２に記載の包装されたベッドリネンにおいて、前記少なくとも１つの付着装置はフック・アンド・ループ材料の一方の構成要素を備え、前記少なくとも１つの追加の付着装置はフック・アンド・ループ材料のもう一方の構成要素を備えており、前記フック・アンド・ループ材料の構成要素は、前記包装箱が前記閉構成にあるときに互いへ付着されるように位置付けられ構成されている、包装されたベッドリネン。
【請求項５】
請求項２に記載の包装されたベッドリネンにおいて、前記少なくとも１つの付着装置はスナップ締結具の一方の構成要素を備え、前記少なくとも１つの追加の付着装置は前記スナップ締結具のもう一方の構成要素を備えており、前記スナップ締結具の前記構成要素は前記包装箱が前記閉構成にあるときに互いへ固定されるように位置付けられ構成されている、包装されたベッドリネン。
【請求項６】
請求項１に記載の包装されたベッドリネンにおいて、前記内部前面パネルは、人が前記内部前面パネルを通して前記少なくとも１つのベッドリネンの布地に触れることを可能にするために貫通して延びている開口を有している、包装されたベッドリネン。
【請求項７】
請求項１に記載の包装されたベッドリネンであって、前記内部前面パネルの外表面又は前記外部前面パネルの内表面へ固定されている、前記少なくとも１つのベッドリネンの布地と同一の布地の見本、を更に備えている包装されたベッドリネン。
【請求項８】
請求項１に記載の包装されたベッドリネンにおいて、少なくとも１つのベッドリネンは、フラットベッドシーツ、ボックス型ベッドシーツ（ｆｉｔｔｅｄ  ｂｅｄ  ｓｈｅｅｔ）、枕ケース、又はマットレスプロテクターのうちの少なくとも１つを備えている、包装されたベッドリネン。
【請求項９】
請求項１に記載の包装されたベッドリネンにおいて、前記少なくとも１つのベッドリネンは、フラットベッドシーツ、ボックス型ベッドシーツ、及び１つ又は２つの枕ケースからなっている、包装されたベッドリネン。
【請求項１０】
請求項１に記載の包装されたベッドリネンにおいて、前記少なくとも１つのベッドリネンはマットレスプロテクターからなっている、包装されたベッドリネン。
【請求項１１】
包装箱であって、
矩形の入れ物、
前記矩形の入れ物の第１横側面の上方の縁部に付着されている第１前面パネル、及び、
前記矩形の入れ物の反対の第２横側面の上方の縁部に付着されていて前記包装箱が閉構成にあるときに前記矩形の入れ物の第１横側面に隣接して位置する構成の外部側面パネルを備えている第２前面パネルであって、前記外部側面パネルがその外部側面パネルを前記矩形の入れ物の第１横側面へ固定する少なくとも１つの付着装置を含んでいる、第２前面パネルを含んでおり、
前記第１前面パネルは、前記包装箱が閉構成にあるときに前記第２前面パネルの後ろで折れる大きさ及び構成であり、前記第２前面パネルは、前記包装箱が閉構成にあるときに前記第１前面パネルの前で折れる大きさ及び構成であり前記包装箱の外部に露出する、包装箱と、
前記包装箱内に配置されている少なくとも１つのベッドリネンと、
を備えている包装されたベッドリネン。
【請求項１２】
請求項１１に記載の包装されたベッドリネンにおいて、前記矩形の入れ物の第１横側面は、前記包装箱が前記閉構成にあるときに前記外部側面パネルの前記少なくとも１つの付着装置へ連結されるように位置付けられ構成されている少なくとも１つの追加の付着装置を備えている、包装されたベッドリネン。
【請求項１３】
請求項１２に記載の包装されたベッドリネンにおいて、前記少なくとも１つの付着装置か又は前記少なくとも１つの追加の付着装置の少なくとも一方は永久磁石を備えている、包装されたベッドリネン。
【請求項１４】
請求項１２に記載の包装されたベッドリネンにおいて、前記少なくとも１つの付着装置はフック・アンド・ループ材料の一方の構成要素を備え、前記少なくとも１つの追加の付着装置はフック・アンド・ループ材料のもう一方の構成要素を備えている、包装されたベッドリネン。
【請求項１５】
請求項１２に記載の包装されたベッドリネンにおいて、前記少なくとも１つの付着装置はスナップ締結具の一方の構成要素を備え、前記少なくとも１つの追加の付着装置は前記スナップ締結具のもう一方の構成要素を備えている、包装されたベッドリネン。
【請求項１６】
請求項１１に記載の包装されたベッドリネンにおいて、前記第１前面パネルは、人が前記第１前面パネルを通して前記少なくとも１つのベッドリネンの布地に触れることを可能にするために貫通して延びている開口を有している、包装されたベッドリネン。
【請求項１７】
請求項１１に記載の包装されたベッドリネンであって、前記第１前面パネルの外表面へ固定されている、前記少なくとも１つのベッドリネンの布地と同一の布地の見本、を更に備えている包装されたベッドリネン。
【請求項１８】
請求項１１に記載の包装されたベッドリネンにおいて、前記第１前面パネルは、前記包装箱が前記閉構成にあるときに前記矩形の入れ物の第２横側面の内部側面に隣接して位置する構成の内部側面パネルを更に備えている、包装されたベッドリネン。
【請求項１９】
包装箱であって、
第１横側面及び反対の第２横側面を有する矩形の入れ物、
前記矩形の入れ物の第１横側面の上方の縁部に付着されている第１前面パネルであって、前記包装箱が閉構成にあるときに前記包装箱内に閉じ込められる内部前面パネルとなり且つ前記矩形の入れ物の第１横側面から反対の第２横側面までのびるような大きさ及び構成である第１前面パネル、及び
前記矩形の入れ物の前記反対の第２横側面の上方の縁部に付着されており、前記包装箱が閉構成にあるときに前記矩形の入れ物の第１横側面に隣接して位置する構成の外部側面パネルを備えている第２前面パネル、を含んでいる、包装箱と、
前記包装箱内に配置されている少なくとも１つのベッドリネンと、
を備えている包装されたベッドリネン。
【請求項２０】
請求項１９に記載の包装されたベッドリネンにおいて、前記第１前面パネルは、前記包装箱が前記閉構成にあるときに前記第１横側面パネルと前記第２横側面パネルのうちの一方の内部側面に隣接して位置する構成の内部側面パネルを更に備えている、包装されたベッドリネン。
【手続補正２】
【補正対象書類名】明細書
【補正対象項目名】００４８
【補正方法】変更
【補正の内容】
【００４８】
［実施例１］
包装箱であって、
背面パネル、
上側面パネル、
下側面パネル、
第１横側面パネル、
第２横側面パネル、
第１前面パネル、及び、
自身の縁を前記第１横側面パネルと前記第２横側面パネルのうちの一方の縁へ付着されていてそれに対して折れるように構成されている第２前面パネル、を含み、
前記第１前面パネルは、前記包装箱が閉構成にあるときに前記包装箱の中に密閉される内部前面パネルとなる大きさ及び構成であり、前記第２前面パネルは、前記包装箱が前記閉構成にあるときに前記包装箱の外部に露出する外部前面パネルとなる大きさ及び構成であり、前記外部前面パネルは、前記包装箱が前記閉構成にあるときに前記第１横側面パネルと前記第２横側面パネルのうちの一方に隣接して位置する構成の外部側面パネルを更に含んでおり、前記外部側面パネルは、前記包装箱が前記閉構成にあるときに前記外部側面パネルを前記第１横側面パネルと前記第２横側面パネルのうちの前記隣接する一方へ固定する少なくとも１つの付着装置を含んでいる、包装箱と、
前記包装箱内に配置されている少なくとも１つのベッドリネンと、
を備えている包装されたベッドリネン。
［実施例２］
実施例１に記載の包装されたベッドリネンにおいて、前記第１横側面パネルと前記第２横側面パネルのうちの前記隣接する一方は、前記包装箱が前記閉構成にあるときに前記外部側面パネルの前記少なくとも１つの付着装置へ引き付けられるか又は連結されるように位置付けられ構成されている少なくとも１つの追加の付着装置を備えている、包装されたベッドリネン。
［実施例３］
実施例２に記載の包装されたベッドリネンにおいて、前記少なくとも１つの付着装置か又は前記少なくとも１つの追加の付着装置の少なくとも一方は永久磁石を備えている、包装されたベッドリネン。
［実施例４］
実施例２に記載の包装されたベッドリネンにおいて、前記少なくとも１つの付着装置はフック・アンド・ループ材料の一方の構成要素を備え、前記少なくとも１つの追加の付着装置はフック・アンド・ループ材料のもう一方の構成要素を備えており、前記フック・アンド・ループ材料の構成要素は、前記包装箱が前記閉構成にあるときに互いへ付着されるように位置付けられ構成されている、包装されたベッドリネン。
［実施例５］
実施例２に記載の包装されたベッドリネンにおいて、前記少なくとも１つの付着装置はスナップ締結具の一方の構成要素を備え、前記少なくとも１つの追加の付着装置は前記スナップ締結具のもう一方の構成要素を備えており、前記スナップ締結具の前記構成要素は前記包装箱が前記閉構成にあるときに互いへ固定されるように位置付けられ構成されている、包装されたベッドリネン。
［実施例６］
実施例１から実施例５の何れか一項に記載の包装されたベッドリネンにおいて、前記内部前面パネルは、人が前記内部前面パネルを通して前記少なくとも１つのベッドリネンの布地に触れることを可能にするために貫通して延びている開口を有している、包装されたベッドリネン。
［実施例７］
実施例１から実施例５の何れか一項に記載の包装されたベッドリネンであって、前記内部前面パネルの外表面又は前記外部前面パネルの内表面へ固定されている、前記少なくとも１つのベッドリネンの布地と同一の布地の見本、を更に備えている包装されたベッドリネン。
［実施例８］
実施例１から実施例５の何れか一項に記載の包装されたベッドリネンにおいて、前記内部前面パネルは、前記包装箱が前記閉構成にあるときに前記第１横側面パネルと前記第２横側面パネルのうちの一方の内部側面に隣接して位置する構成の内部側面パネルを更に備えている、包装されたベッドリネン。
［実施例９］
実施例１から実施例５の何れか一項に記載の包装されたベッドリネンにおいて、少なくとも１つのベッドリネンは、フラットベッドシーツ、ボックス型ベッドシーツ（ｆｉｔｔｅｄ  ｂｅｄ  ｓｈｅｅｔ）、枕ケース、又はマットレスプロテクターのうちの少なくとも１つを備えている、包装されたベッドリネン。
［実施例１０］
実施例９に記載の包装されたベッドリネンにおいて、前記少なくとも１つのベッドリネンは、フラットベッドシーツ、ボックス型ベッドシーツ、及び１つ又は２つの枕ケースからなっている、包装されたベッドリネン。
［実施例１１］
実施例９に記載の包装されたベッドリネンにおいて、前記少なくとも１つのベッドリネンはマットレスプロテクターからなっている、包装されたベッドリネン。
［実施例１２］
包装箱を形成する段階であって、前記包装箱は、
背面パネル、
上側面パネル、
下側面パネル、
第１横側面パネル、
第２横側面パネル、
第１前面パネル、及び、
自身の縁を前記第１横側面パネルと前記第２横側面パネルのうちの一方の縁へ付着されそれに対して折れるように構成される第２前面パネル、を含み、
前記第１前面パネルは、前記包装箱が閉構成にあるときに前記包装箱の中に密閉される内部前面パネルとなる大きさ及び構成であり、前記第２前面パネルは、前記包装箱が前記閉構成にあるときに前記包装箱の外部に露出する外部前面パネルとなる大きさ及び構成であり、前記外部前面パネルは、前記包装箱が前記閉構成にあるときに前記第１横側面パネルと前記第２横側面パネルのうちの一方に隣接して位置する構成の外部側面パネルを更に含み、前記外部側面パネルは、前記包装箱が前記閉構成にあるときに前記外部側面パネルを前記第１横側面パネルと前記第２横側面パネルのうちの前記隣接する一方へ固定する少なくとも１つの付着装置を含む、包装箱を形成する段階と、
少なくとも１つのベッドリネンを、前記包装箱の前記背面パネル、前記上側面パネル、前記下側面パネル、前記第１横側面パネル、及び前記第２横側面パネルによって画定される空間内に配置する段階と、
前記内部前面パネルを、前記包装箱の中の前記少なくとも１つのベッドリネンを少なくとも部分的に覆うように位置決めする段階と、
前記外部前面パネルを、前記第１横側面パネルと前記第２横側面パネルのうちのそれが付着されている前記一方に対して、前記外部前面パネルが前記内部前面パネルに隣接して配置されるように折る段階と、
前記外部側面パネルを前記外部前面パネルに対して折り、前記外部側面パネルを前記第１横側面パネルと前記第２横側面パネルのうちの隣接する一方へ固定する段階と、
を備えている、ベッドリネンを包装する方法。
［実施例１３］
実施例１２に記載の方法において、前記第１横側面パネルと前記第２横側面パネルのうちの前記隣接する一方は少なくとも１つの追加の付着装置を備え、前記外部側面パネルを前記第１横側面パネルと前記第２横側面パネルのうちの前記隣接する一方へ固定する段階は、前記少なくとも１つの付着装置を前記少なくとも１つの追加の付着装置へ連結するか又は引き付ける段階を備えている、方法。
［実施例１４］
実施例１３に記載の方法であって、前記少なくとも１つの付着装置か又は前記少なくとも１つの追加の付着装置の少なくとも一方を、永久磁石を備えるように選択する段階、を更に備えている方法。
［実施例１５］
実施例１３に記載の方法であって、前記少なくとも１つの付着装置を、フック・アンド・ループ材料の一方の構成要素を備えるように選択し、前記少なくとも１つの追加の付着装置を、前記フック・アンド・ループ材料のもう一方の構成要素を備えるように選択する段階、を更に備えている方法。
［実施例１６］
実施例１３に記載の方法であって、前記少なくとも１つの付着装置を、スナップ締結具の一方の構成要素を備えるように選択し、前記少なくとも１つの追加の付着装置を、前記スナップ締結具のもう一方の構成要素を備えるように選択する段階、を更に備えている方法。
［実施例１７］
実施例１２から実施例１６の何れか一項に記載の方法であって、人が前記内部前面パネルを通して前記少なくとも１つのベッドリネンの布地に触れることを可能にするために前記内部前面パネルを貫通して延びる開口を形成する段階、を更に備えている方法。
［実施例１８］
実施例１２から実施例１６の何れか一項に記載の方法であって、前記少なくとも１つのベッドリネンの布地と同一の布地の見本を前記内部前面パネルの外表面へ固定する段階、を更に備えている方法。
［実施例１９］
実施形態１２から実施形態１６の何れか一項に記載の方法において、前記包装箱を形成する段階は、前記内部前面パネルを、前記包装箱が前記閉構成にあるときに前記第１横側面パネルと前記第２横側面パネルのうちの一方の内部側面に隣接して位置する構成の内部側面パネルを備えるように形成する段階を更に備えている、方法。
［実施例２０］
実施例１２から実施例１６の何れか一項に記載の方法において、前記少なくとも１つのベッドリネンを前記空間内に配置する段階は、フラットベッドシーツ、ボックス型ベッドシーツ、枕ケース、又はマットレスプロテクターのうちの少なくとも１つを前記空間内に配置する段階を備えている、方法。
開示の実施形態等は様々な修正型及び代替形態の余地がある。開示の実施形態の例示となる実例を提供するために具体的な実施形態を図面に示し、ここに詳細に説明してきた。但し、開示はここに開示されている特定の形態に限定されない。むしろ、開示の実施形態は、ここに広く定義されている開示の範囲内に入る全ての修正物、等価物、及び代替物を含み得る。また、ここに幾つかの実施形態と関連して説明されている要素及び特徴は、開示の他の実施形態に実施されてもよいし、開示の更に別の実施形態を提供するべくここに他の実施形態に関連して説明されている要素及び特徴と組み合わされてもよい。